(57)【要約】【課題】隙間なく容易に接続することができ、さらに軒樋カバーの強度を高め得る軒樋カバー及び該軒樋カバーの接続構造を提供する。【解決手段】水通孔３を有し、軒樋１０の開口部上面１０ａを被覆する被覆面部２の屋外側端部２ａに被覆面部２の長手方向の長さと略同一の長さの補強部４を長手方向にずらせて固定し、補強部４の長手方向に突出した部分、つまり継手部７の先端部を他の軒樋カバー１の補強部４の後端部に当接させつつ被覆面部２の継手受部８に嵌合させることにより、被覆面部２の端部も隙間なく接続することができる。【選択図】  図１
2004238907.tif 000002
【特許請求の範囲】
【請求項１】
軒樋の開口部上面を被覆し、水通孔を有する被覆面部と、被覆面部の屋外側端部に沿って嵌合した被覆面部長手方向と略同一長さの補強部とを備え、補強部を長手方向にずらせて継手部と継手受部を形成した構成を有する軒樋カバー。
【請求項２】
請求項１に記載の軒樋カバーを連設し、一端部の継手部を隣接軒樋カバー他端部の継手受部に嵌合させてなる軒樋カバーの接続構造。
【発明の詳細な説明】
【０００１】
【発明の属する技術分野】
本発明は、軒樋に落ち葉、雪の塊等が侵入するのを防止する軒樋カバー及び該軒樋カバーの接続構造に関する。
【０００２】
【従来の技術】
軒樋内に落ち葉、雪の塊等が堆積し、軒樋内の水の流れを止めてしまうことがある。これを防ぐため、軒樋の開口部上面に、網状や多数の孔を穿設したカバーを設けて、落ち葉、雪の塊等を侵入させないようにしている。（例えば、特許文献１〜３参照）
【０００３】
【特許文献１】
特開平９−１７０３１１号公報
【特許文献２】
特開２０００−９６７８７号公報
【特許文献３】
特開２００２−２１２６７号公報
【０００４】
【発明が解決しようとする課題】
従来の軒樋カバーでは、連設して軒樋カバーを取り付ける際、施工時に注意して接続させないと、継ぎ目に隙間が出来てしまい、そこより落ち葉等が侵入してしまうことがあった。また、軒樋カバーの端部を重ね合わせて取り付けることもあるが、このようにすると載せた軒樋カバーが他方の軒樋カバーの厚みにより若干浮いてしまい、それによりできた隙間から落ち葉等が侵入してしまうことがあり、軒樋カバーの機能を十分に発揮できずにいた。
【０００５】
本発明は、上記の課題に鑑み、軒樋カバー同士を隙間なく容易に連設することができ、さらに軒樋カバーの強度を高めることができる軒樋カバー及び該軒樋カバーの接続構造を提供する。
【０００６】
【課題を解決するための手段】
本発明は、軒樋の開口部上面を被覆し、水通孔を有する被覆面部と、被覆面部の屋外側端部に沿って嵌合した被覆面部長手方向と略同一長さの補強部とを備え、補強部を長手方向にずらせて継手部と継手受部を形成した構成を有する軒樋カバー、及び軒樋カバーを連設し、一端部の継手部を隣設軒樋カバー他端部の継手受部に嵌合させてなる軒樋カバーの接続構造を提供する。
【０００７】
軒樋カバーの被覆面部の屋外側端部にずらせて補強部を固定し、被覆面部より長手方向に突出させることにより、被覆面部よりも長手方向に突出した補強部つまり継手部を、他の軒樋カバーの被覆面部の屋外側端部つまり継手受部に嵌合させて接続することができ、被覆面部と補強部の長手方向の長さは略同一の長さとしてあるので、被覆面部の端部も隙間なく継合することができる。
また、補強部を設けることにより、軒樋カバーの強度が上がるため、軒樋の上面開口部に設置した場合に外部から衝撃が加わっても変形しにくくなることはもちろん、輸送、保管時などでも変形、破損が生じ難くなる。
【０００８】
【発明の実施の形態】
以下、本発明の一実施例を図面を用いて説明する。
図１は、本発明の軒樋カバーの一実施例の概略斜視図、図２は、図１の軒樋カバーを軒樋の上面開口部に取り付けた状態を示した概略側断面図、図３は、図１の軒樋カバーの接続構造を示した概略斜視図である。
【０００９】
本発明の軒樋カバー１は、軒樋１０の開口部上面１０ａを被覆する被覆面部２と、被覆面部２に形成した水通孔３と、被覆面部２の屋外側端部２ａに固定する補強部４とを主な構成として備えている。
【００１０】
被覆面部２は、網材、パンチング材など任意成形材でよいが、図１では、菱形網目状パンチング材として示してあり、屋内側部分及び屋外側部分を軒樋吊具１１の上面１１ａに沿うように上方斜めに折曲し、屋内側端部は取付部５となし、屋外側は屋外側端部２ａを軒樋１０の屋外側壁面内側に当接可能なように形成して、軒樋１０の開口部上面１０ａを被覆できるようにしてある。なお、出隅や入隅にある略直角に折曲した軒樋に設置する場合は、それらの形状に合わせて開口部上面１０ａを被覆できるようにする。
上記実施例では、軒樋吊具１１の上面１１ａに沿うように折曲した形状を示しているが、この形状に限らず、折曲せず平面状にしたり、上方へ湾曲させてもよく、軒樋１０の開口部上面１０ａに落ち葉等が入らないように被覆できればよい。
【００１１】
水通孔３は、落ち葉や雪の塊等は通さず、水を軒樋１０へ通す役割をする。本実施例では網目材としているので水通孔３を穿設する必要はないが、被覆面部２を金属や樹脂の板材とした場合は適宜箇所に水通孔３を穿設すればよい。
穿設する水通孔３の形状は、特に限定するものではなく、丸形状、角形状、長円形状でもよく、落ち葉や雪の塊が軒樋１０内へ侵入しないようにすればよい。
【００１２】
補強部４は、断面略コの字形の長尺状をしており、開口部を被覆面部２の厚みよりも若干狭く開口させた嵌合部６とし、被覆面部２の屋外側端部２ａに嵌合固定できるようにしてある。固定は、嵌合のみでもよいが、かしめ付け或いは接着などによることもできる。また、補強部４の長手方向の長さは、被覆面部２の長手方向の長さと略同一とする。
補強部４の形状は、上記に限定されるものではなく、断面円形状としてもよく、長手方向に嵌合部６を有し、被覆面部２の屋外側端部２ａに固定できるようにしてあればよい。
【００１３】
取付部５は、図２に示すように、軒樋吊具１１の傾斜部１１ｂ及び軒先水切り１２の折り返し部１２ａの先端に挟持されるように取り付けることができ、これにより軒樋カバー１の位置決め及び取付固定が容易にできる。このように取付が容易にできるので取付部５を設けるのが好ましいが、必ずしも設ける必要はない。
【００１４】
補強部４を、被覆面部２の屋外側端部２ａに長手方向にずらせて取り付け、一端側に長手方向に突出した継手部７及び他端側に被覆面部２の屋外側端部２ａを露出させた継手受部８を形成して本発明の軒樋カバー１とする。
この際、被覆面部２と補強部４との長手方向の長さを略同一としているので、図３（ａ）に示す、継手部７の長手方向の長さＡと継手受部８の長手方向の長さＢは略同一となる。
また、補強部４をずらせて取り付ける位置は、特に限定するものではないが、長手方向の長さを１０００ｍｍの補強部４とした場合、５０〜３００ｍｍ程ずらせた位置とすることが好ましい。
本実施例では、被覆面部２と補強部４とを別体で形成してあるが、同一の構造となるように一体に形成しても構わない。
【００１５】
以下、軒樋カバー１の取付方法を説明する。
軒樋カバー１を複数形成し、図３（ａ）に示すように、隣接設置する軒樋カバー１ｂを矢印Ｘの方向、つまり一の軒樋カバー１ａに当接するように、軒樋カバー１ａの継手部７の嵌合部６を軒樋カバー１ｂの継手受部８に嵌合させる。
このとき、軒樋カバー１ａの継手部７の先端部と軒樋カバー１ｂの補強部４の後端部を当接するように嵌合させると、軒樋カバー１ａの継手部７の長手方向の長さＡと軒樋カバー１ｂの継手受部８の長手方向の長さＢは略同一となっているため、図３（ｂ）に示すように、被覆面部２の端部も隙間なく継合することができる。
また、補強部４を被覆面部２の屋外側端部２ａに固定してあるため、被覆面部２が変形しにくくなり、軒樋カバー１同士を接続したとき、被覆面部２の端部を平面状に接続することができる。
【００１６】
このように、複数の軒樋カバー１を連設していき、必要な分だけ軒樋カバー１を接続し終えるが、図２に示すように、取付部５を軒樋吊具１１の傾斜部１１ｂと軒先水切り１２の折り返し部１２ａとの間隙に挿入し、被覆面部２の折曲部分を軒樋吊具１１の上面１１ａの折曲部分に合わせて取り付けつつ接続していくか、または各軒樋カバー１の取付部５を挿入してから、軒樋カバー１を軒樋１０の開口部上面１０ａ上でスライドさせて継手部７を継手受部８に接続させていくか、或いは軒樋カバー１を複数枚連設させてから取付部５を挿入し、複数枚の軒樋カバー１同士をスライドさせて接続させてもよい。
さらに強固に取り付けたい場合は、クリップ１３の両足をそれぞれ別の通水孔３に挿通して、軒樋吊具１１の側面を挟持させることにより、より強固に軒樋カバー１を固定することもできる。
【００１７】
このようにして取り付けた軒樋カバー１は、補強部４が被覆面部２の屋外側端部２ａに固定されているため長手方向の曲げ荷重に強くなり、屋根から大きな雪の塊等が滑り落ちてきた場合でも破損しにくくなる。
【００１８】
【発明の効果】
本発明の軒樋カバーは、屋外側端部に被覆面部長手方向と略同一長さの補強部をずらせて設けて継手部及び継手受部を形成することにより、強度が増し、また該軒樋カバーの継手部及び継手受部を接続させる接続構造とすることができ、連設しやすく、隙間のない軒樋カバーとすることができる。
【図面の簡単な説明】
【図１】本発明の軒樋カバーの一実施例の概略斜視図である。
【図２】図１の軒樋カバーを軒樋の上面開口部に取り付けた状態を示した概略斜視図である。
【図３】図１の軒樋カバーの接続構造を示した概略斜視図であり、（ａ）は、接続前、（ｂ）は、接続後の状態を示した概略斜視図である。
【符号の説明】
１、１ａ、１ｂ  軒樋カバー
２  被覆面部
２ａ  屋外側端部
３  水通孔
４  補強部
５  取付部
６  嵌合部
７  継手部
１０  軒樋
１０ａ  上面開口部
１１  軒樋吊具
１１ａ  上面
１１ｂ  傾斜部
１２  軒先水切り
１２ａ  折り返し部
１３  クリップ
【図１】
2004238907.tif 000003
【図２】
2004238907.tif 000004
【図３】
2004238907.tif 000005